(57)【要約】【課題】  プレビューの画像読取時および本画像読取時のいずれにおいても、適切なシェーディング補正値が得られる。【解決手段】  キャリッジ２は、主走査方向に沿ったラインに対して光を照射する光源１１とその光の反射光を所定の方向へ出射するミラー１２とを備え、副走査方向に沿って移動する。イメージセンサー５は、キャリッジ２から出射される反射光を所定の光学系を介して受光する。白基準板６ａ，６ｂは、副走査方向の一端側および他端側にそれぞれ配置されている。コントローラー２６は、（ａ）白基準板６ａを使用してシェーディング補正を行った後、キャリッジ２を一端側から他端側へ移動させて、本画像読取前のプレビューのための画像読取を行い、（ｂ）プレビューの後に、白基準板６ｂを使用してシェーディング補正を行った後、キャリッジ２を他端側から一端側へ移動させて、本画像読取を行う。【選択図】  図１
2017225051.tif 000002
【特許請求の範囲】
【請求項１】
主走査方向に沿ったラインに対して光を照射する光源と前記光の反射光を所定の方向へ出射する光学系とを備え、副走査方向に沿って移動するキャリッジと、
前記キャリッジから出射される前記反射光を受光するイメージセンサーと、
前記副走査方向の一端側に配置された第１白基準板と、
前記副走査方向の他端側に配置された第２白基準板と、
コントローラーとを備え、
前記コントローラーは、（ａ）前記第１白基準板を使用してシェーディング補正を行った後、前記キャリッジを前記一端側から前記他端側へ移動させて、本画像読取前のプレビューのための画像読取を行い、（ｂ）前記プレビューの後に、前記第２白基準板を使用してシェーディング補正を行った後、前記キャリッジを前記他端側から前記一端側へ移動させて、前記本画像読取を行うこと、
を特徴とする画像読取装置。
【請求項２】
原稿カバーと、
前記原稿カバーの開閉を検出するカバーセンサーとをさらに備え、
前記コントローラーは、（ａ）前記カバーセンサーにより前記原稿カバーが閉じられたことが検出されると、自動的に、前記第１白基準板を使用してシェーディング補正を行った後、自動的に、前記キャリッジを前記一端側から前記他端側へ移動させて、本画像読取前のプレビューのための画像読取を行うこと、
を特徴とする請求項１記載の画像読取装置。
【請求項３】
前記コントローラーは、（ａ）前記カバーセンサーにより前記原稿カバーが閉じられたことが検出されると、（ａ１）自動プレビュー設定がオンである場合、自動的に、前記第１白基準板を使用してシェーディング補正を行った後、前記キャリッジを前記一端側から前記他端側へ移動させて、前記プレビューのための画像読取を行い、（ａ２）前記自動プレビュー設定がオフである場合、前記第１白基準板を使用したシェーディング補正および前記プレビューのための画像読取を自動的に開始しないことを特徴とする請求項２記載の画像読取装置。
【請求項４】
前記コントローラーは、前記プレビューのための画像読取の後、前記キャリッジを前記他端側で待機させ、所定のユーザー操作を検出すると、前記第２白基準板を使用してシェーディング補正を行った後、前記キャリッジを前記他端側から前記一端側へ移動させて、前記本画像読取を行うことを特徴とする請求項１記載の画像読取装置。
【発明の詳細な説明】
【技術分野】
【０００１】
本発明は、画像読取装置に関するものである。
【背景技術】
【０００２】
コピー機、複合機などの画像読取装置は、一般的に、プレビュー機能を有しており、プレビュー機能では、コピー動作を行う際に、画像読取動作後にただちにプリント動作をせずに、スキャン画像を表示し、ユーザーがスキャン画像を確認してから、プリント動作へ移行する。
【０００３】
一般的に、プレビュー機能を使用する場合にユーザー操作が必要であるため、ユーザーがプレビュー機能の存在を認知していない場合や、ユーザーがプレビュー機能を使用しなかった場合、ミスプリントによる紙、トナーやインク、電力などの消耗が発生しやすくなる。
【０００４】
そのため、ある画像読取装置は、原稿カバーが開けられ原稿が載置された際に、原稿サイズを検知するためにキャリッジを原稿の副走査後端位置へ移動し、原稿カバーが閉じられた際に復帰移動させて、自動的にプレビューを行う（例えば特許文献１参照）。
【先行技術文献】
【特許文献】
【０００５】
【特許文献１】特開２０１２−２５３６７２号公報
【発明の概要】
【発明が解決しようとする課題】
【０００６】
しかしながら、上述の画像読取装置では、原稿を置いて原稿サイズ検知のためにキャリッジが副走査方向に移動している際に、原稿カバーが開いているため、ユーザーが誤って原稿を動かしてしまった場合に正確な後端位置にキャリッジが停止しない可能性がある。
【０００７】
また、キャリッジを原稿後端まで移動させてからプレビューのための画像読取動作を行うため、シェーディング補正をその画像読取の直前に行うことができず、適切な補正値が得られない可能性がある。
【０００８】
本発明は、上記の問題に鑑みてなされたものであり、プレビューの画像読取時および本画像読取時のいずれにおいても、適切なシェーディング補正値が得られる画像読取装置を得ることを目的とする。
【課題を解決するための手段】
【０００９】
本発明に係る画像読取装置は、主走査方向に沿ったラインに対して光を照射する光源と前記光の反射光を所定の方向へ出射する光学系とを備え、副走査方向に沿って移動するキャリッジと、前記キャリッジから出射される前記反射光を受光するイメージセンサーと、前記副走査方向の一端側に配置された第１白基準板と、前記副走査方向の他端側に配置された第２白基準板と、コントローラーとを備える。そして、前記コントローラーは、（ａ）前記第１白基準板を使用してシェーディング補正を行った後、前記キャリッジを前記一端側から前記他端側へ移動させて、本画像読取前のプレビューのための画像読取を行い、（ｂ）前記プレビューの後に、前記第２白基準板を使用してシェーディング補正を行った後、前記キャリッジを前記他端側から前記一端側へ移動させて、前記本画像読取を行う。
【発明の効果】
【００１０】
本発明によれば、プレビューの画像読取時および本画像読取時のいずれにおいても、適切なシェーディング補正値が得られる
【００１１】
本発明の上記又は他の目的、特徴および優位性は、添付の図面とともに以下の詳細な説明から更に明らかになる。
【図面の簡単な説明】
【００１２】
【図１】図１は、本発明の実施の形態１に係る画像読取装置の内部構成を示す側面図である。
【図２】図２は、本発明の実施の形態１に係る画像読取装置の電気的な構成を示すブロック図である。
【図３】図３は、実施の形態１に係る画像読取装置の動作について説明するフローチャートである。
【図４】図４は、実施の形態１に係る画像読取装置におけるキャリッジ２の移動方向について説明する図である。
【発明を実施するための形態】
【００１３】
以下、図に基づいて本発明の実施の形態を説明する。
【００１４】
実施の形態１．
【００１５】
図１は、本発明の実施の形態１に係る画像読取装置の内部構成を示す側面図である。図１に示す画像読取装置は、スキャナー機、コピー機、ファクシミリ機、複合機などといった装置である。
【００１６】
図１に示す画像読取装置は、画像読取部２１において、コンタクトガラス１、キャリッジ２，３、結像レンズ４、イメージセンサー５、白基準板６ａ，６ｂ、および原稿カバー７を有する。
【００１７】
コンタクトガラス１は、当該画像読取装置本体の上面に設置され、原稿を載置される。
【００１８】
キャリッジ２は、図示せぬ駆動源によって副走査方向に移動可能に設置されている。キャリッジ２は、光源１１とミラー１２とを有する。光源１１は、主走査方向に沿って配置され、例えば配列された複数の発光ダイオードで光を出射する。つまり、光源１１は、主走査方向に沿ったラインに対して光を照射する。光源１１から出射された光は、キャリッジ２の位置に応じて、白基準板６ａ，６ｂ、コンタクトガラス１上に載置された原稿などで反射する。ミラー１２は、原稿などからの反射光を反射し、キャリッジ３に向けて所定の方向へ出射する光学系である。
【００１９】
また、キャリッジ３は、ミラー１３，１４を有する。ミラー１３，１４は、キャリッジ２のミラー１２からの光を反射して副走査方向に沿って出射する。結像レンズ４は、ミラー１４からの光をイメージセンサー５に結像させる。
【００２０】
イメージセンサー５は、キャリッジ２から出射される反射光を所定の光学系（ここではキャリッジ３のミラー１３，１４および結像レンズ４）を介して受光する。イメージセンサー５は、主走査方向に配列された所定の画素数の受光素子を有する一次元イメージセンサーであり、ラインごとに、その画素数の画素についての受光量に対応する電気信号を出力する。イメージセンサー５としては、例えば、ＣＣＤ（Charge Coupled Device）が使用される。
【００２１】
白基準板６ａ，６ｂは、装置内部の天面に主走査方向に沿って配置され、白色の基準データを取得するために使用される板状の部材である。白基準板６ａは、副走査方向における一端側（ホームポジション側）に配置され、白基準板６ｂは、副走査方向における他端側に配置されている。
【００２２】
原稿カバー７は、コンタクトガラス１に面接触可能で回動自在に設置されている部材であって、原稿をコンタクトガラス１に密着させるとともに、画像読取時に環境光がコンタクトガラス１から装置内部へ入射することを防ぐ。
【００２３】
図２は、本発明の実施の形態１に係る画像読取装置の電気的な構成を示すブロック図である。
【００２４】
実施の形態１に係る画像読取装置は、上述の画像読取部２１に加え、カバーセンサー２２、操作パネル２３、印刷装置２４、および通信装置２５を備える。
【００２５】
画像読取部２１は、上述のような構成に基づいて、原稿から原稿画像を光学的に読み取り、原稿画像の画像データを生成する内部装置である。
【００２６】
カバーセンサー２２は、原稿カバー７の開閉を検出する、例えば接触型のセンサーである。
【００２７】
また、操作パネル２３は、液晶ディスプレイなどの表示装置２３ａ、およびタッチパネルなどの入力装置２３ｂを備え、ユーザーに対する操作画面の表示およびユーザーの入力操作の検出を行う内部装置である。
【００２８】
また、印刷装置２４は、例えば電子写真方式で原稿画像を印刷用紙に印刷する内部装置である。
【００２９】
また、通信装置２５は、ネットワークなどを介して図示せぬホスト装置やサーバーに接続可能であって、所定の通信プロトコルでデータ通信を行う内部装置である。
【００３０】
また、コントローラー２６は、ＡＳＩＣ（Application Specific Integrated Circuit）、コンピューターなどを内蔵し、画像読取部２１などの内部装置を制御するとともに、各種データ処理を実行する。
【００３１】
コントローラー２６は、（ａ）白基準板６ａを使用してシェーディング補正を行った後、キャリッジ２を副走査方向の一端側から他端側へ移動させて、本画像読取前のプレビューのための画像読取を行い、（ｂ）プレビューの後に、白基準板６ｂを使用してシェーディング補正を行った後、キャリッジ２を副走査方向の他端側から一端側へ移動させて、本画像読取を行う。
【００３２】
なお、本画像読取は、ユーザーにより指定された条件（解像度など）で原稿の画像読取を行う処理であり、プレビューのための画像読取は、所定のプレビュー条件（解像度など）で原稿の画像読取を行う処理である。
【００３３】
また、実施の形態１では、コントローラー２６は、（ａ）カバーセンサー２２により原稿カバー７が閉じられたことが検出されると、自動的に、白基準板６ａを使用してシェーディング補正を行った後、自動的に、キャリッジ２を副走査方向の一端側から他端側へ移動させて、プレビューのための画像読取を行う。つまり、この実施の形態１では、コントローラー２６は、カバーセンサー２２により原稿カバー７が閉じられたことが検出されると、プレビューのためのシェーディング補正および画像読取を自動的に開始する。
【００３４】
また、実施の形態１では、コントローラー２６は、（ａ）カバーセンサー２２により原稿カバー７が閉じられたことが検出されると、自動プレビュー設定がオンであるか否かを判定する。そして、（ａ１）自動プレビュー設定がオンであると判定した場合、コントローラー２６は、プレビューのためのシェーディング補正および画像読取を自動的に開始するが、（ａ２）自動プレビュー設定がオフであると判定した場合、コントローラー２６は、プレビューのためのシェーディング補正および画像読取を自動的に開始しない。
【００３５】
また、実施の形態１では、コントローラー２６は、プレビューのための画像読取の後、キャリッジ２を副走査方向の他端側（ここでは、白基準板６ｂの検出位置）で待機させ、所定のユーザー操作を検出すると、白基準板６ｂを使用してシェーディング補正を行った後、キャリッジ２を副走査方向の他端側から一端側へ移動させて、本画像読取を行う。
【００３６】
次に、実施の形態１に係る画像読取装置の動作について説明する。図３は、実施の形態１に係る画像読取装置の動作について説明するフローチャートである。図４は、実施の形態１に係る画像読取装置におけるキャリッジ２の移動方向について説明する図である。
【００３７】
コントローラー２６は、カバーセンサー２２で原稿カバー７が閉じられたことを検出すると（ステップＳ１）、キャリッジ２をコンタクトガラス１の下に移動させ、光源１１を一時的に点灯して、イメージセンサー５からの電気信号に基づいて原稿１０１のサイズ（主走査方向のサイズ）を検知する（ステップＳ２）。
【００３８】
そして、コントローラー２６は、図示せぬ不揮発性メモリーに記憶されている自動プレビュー設定を確認し、自動プレビュー設定がオンであるか否かを判定する（ステップＳ３）。なお、自動プレビュー設定については、例えばユーザーによってオンまたはオフに設定される。
【００３９】
自動プレビュー設定がオンである場合、コントローラー２６は、キャリッジ２を白基準板６ａの検出位置に移動させて光源１１を点灯し、白基準板６ａからの反射光の光量を示す電気信号をイメージセンサー５から取得し、その光量に基づいてシェーディング補正を行う（ステップＳ４）。
【００４０】
シェーディング補正（ステップＳ４）の完了後、コントローラー２６は、キャリッジ２を副走査方向の（キャリッジ２の可動範囲の）一端側（つまりホームポジション側）から他端側へ移動させつつ光源１１を点灯し、原稿１０１からの反射光の光量を示す電気信号をイメージセンサー５から取得し、その光量に基づいてプレビュー画像を取得する（ステップＳ５）。
【００４１】
図４に示すように、プレビュー画像の取得後、コントローラー２６は、キャリッジ２を、後端側（ここでは、白基準板６ｂの検出位置）に停止させ待機させる（ステップＳ６）。また、プレビュー画像の取得後、コントローラー２６は、プレビュー画像を表示装置２３ａに表示させる（ステップＳ７）。
【００４２】
その後、コントローラー２６は、本画像読取のキャンセルのためのユーザー操作または本画像読取を実行させるためのユーザー操作が検出されたか否かを監視する（ステップＳ８，Ｓ９）。
【００４３】
本画像読取のキャンセルのためのユーザー操作または本画像読取を実行させるためのユーザー操作が入力装置２３ｂで検出された場合、コントローラー２６は、本画像読取をキャンセルする。
【００４４】
他方、本画像読取を実行させるためのユーザー操作が入力装置２３ｂで検出された場合、コントローラー２６は、光源１１を点灯し、白基準板６ｂからの反射光の光量を示す電気信号をイメージセンサー５から取得し、その光量に基づいてシェーディング補正を行う（ステップＳ１０）。
【００４５】
シェーディング補正（ステップＳ１０）の完了後、コントローラー２６は、図４に示すように、キャリッジ２を副走査方向の他端側から一端側へ移動させつつ光源１１を点灯し、原稿１０１からの反射光の光量を示す電気信号をイメージセンサー５から取得し、その光量に基づいて本画像読取の設定条件で読取画像を取得する（ステップＳ１１）。コントローラー２６は、読取画像の後端から先端へ向かって順番に１ラインずつ読取画像を取得し、ラインの順番を反転させて読取画像を取得する。
【００４６】
一方、ステップＳ３において自動プレビュー設定がオフであると判定された場合、コントローラー２６は、本画像読取を実行させるためのユーザー操作が検出されたか否かを監視する（ステップＳ１２）。
【００４７】
本画像読取を実行させるためのユーザー操作が入力装置２３ｂで検出された場合、コントローラー２６は、光源１１を点灯し、白基準板６ａからの反射光の光量を示す電気信号をイメージセンサー５から取得し、その光量に基づいてシェーディング補正を行う（ステップＳ１３）。
【００４８】
シェーディング補正（ステップＳ１３）の完了後、コントローラー２６は、キャリッジ２を副走査方向の一端側から他端側へ移動させつつ光源１１を点灯し、原稿１０１からの反射光の光量を示す電気信号をイメージセンサー５から取得し、その光量に基づいて本画像読取の設定条件で読取画像を取得する（ステップＳ１４）。
【００４９】
そして、コントローラー２６は、本画像読取により得られた画像を印刷装置２４で印刷したり、本画像読取により得られた画像の画像データファイルを通信装置２５で送信したりする。
【００５０】
以上のように、上記実施の形態１によれば、キャリッジ２は、主走査方向に沿ったラインに対して光を照射する光源１１とその光の反射光を所定の方向へ出射するミラー１２とを備え、副走査方向に沿って移動する。イメージセンサー５は、キャリッジ２から出射される反射光を所定の光学系を介して受光する。白基準板６ａ，６ｂは、副走査方向の一端側および他端側にそれぞれ配置されている。コントローラー２６は、（ａ）白基準板６ａを使用してシェーディング補正を行った後、キャリッジ２を一端側から他端側へ移動させて、本画像読取前のプレビューのための画像読取を行い、（ｂ）プレビューの後に、白基準板６ｂを使用してシェーディング補正を行った後、キャリッジ２を他端側から一端側へ移動させて、本画像読取を行う。
【００５１】
これにより、白基準板６ａ，６ｂが副走査方向の一端側および他端側にそれぞれ配置されており、プレビューの画像読取時および本画像読取時のいずれにおいても、適切なシェーディング補正値が得られる。
【００５２】
実施の形態２．
【００５３】
実施の形態２に係る画像読取装置では、白基準板６ａ，６ｂが画像読取装置本体の内部天面ではなく、原稿カバー７に配置され、コンタクトガラス１を介して白基準板６ａ，６ｂを使用してシェーディング補正が実行される。
【００５４】
なお、実施の形態２に係る画像読取装置のその他の構成および動作については、実施の形態１のものと同様であるので、その説明を省略する。
【００５５】
なお、上述の実施の形態に対する様々な変更および修正については、当業者には明らかである。そのような変更および修正は、その主題の趣旨および範囲から離れることなく、かつ、意図された利点を弱めることなく行われてもよい。つまり、そのような変更および修正が請求の範囲に含まれることを意図している。
【産業上の利用可能性】
【００５６】
本発明は、例えば、画像読取装置に適用可能である。
【符号の説明】
【００５７】
２  イメージセンサー
６ａ  白基準板（第１白基準板の一例）
６ｂ  白基準板（第２白基準板の一例）
７  原稿カバー
１１  光源
１２  ミラー（光学系の一例）
２２  カバーセンサー
２６  コントローラー
【図１】
2017225051.tif 000003
【図２】
2017225051.tif 000004
【図３】
2017225051.tif 000005
【図４】
2017225051.tif 000006